(57)【要約】【課題】サンプル台の汎用性を向上させることができる自動販売機のサンプル台を提供する。【解決手段】自動販売機(1)に形成された商品サンプルを展示する展示室に設けられる自動販売機のサンプル台(11,111)において、展示室に固定され、商品サンプル(107)の下部を支持するサンプル取付部(21)を有する下部陳列台(13)と、下部陳列台の上側に配設され、下部陳列台に支持される商品サンプルとは異なる形状の商品サンプル(7,8)を支持する上部陳列台(15)と、上部陳列台及び／または下部陳列台に形成され、上部陳列台を下部陳列台に固定する固定部(43)と、を備え、上部陳列台は、下部陳列台にのみ固定されている。【選択図】図１３
2020201786.tif 000002
【特許請求の範囲】
【請求項１】
自動販売機に形成された商品サンプルを展示する展示室に設けられる自動販売機のサンプル台において、
前記展示室に固定され、前記商品サンプルの下部を支持するサンプル取付部を有する下部陳列台と、
前記下部陳列台の上側に配設され、前記下部陳列台に支持される前記商品サンプルとは異なる形状の商品サンプルを支持する上部陳列台と、
前記上部陳列台及び／または前記下部陳列台に形成され、前記上部陳列台を前記下部陳列台に固定する固定部と、を備え、
前記上部陳列台は、前記下部陳列台にのみ固定されている
ことを特徴とする自動販売機のサンプル台。
【請求項２】
前記上部陳列台は、前記固定部による固定状態が解除された解除状態の際、前記展示室の背面から離間する方向である離間方向を含む方向に移動して前記下部陳列台から取り外される、請求項１に記載の自動販売機のサンプル台。
【請求項３】
前記上部陳列台が前記離間方向へ移動することを規制するとともに前記上部陳列台を前記下部陳列台に支持する支持部を備え、
前記上部陳列台は、前記解除状態の際、前記サンプル台の前方を軸にして背面から離間する方向に回動可能に構成される、請求項２に記載の自動販売機のサンプル台。
【請求項４】
前記サンプル台における前記展示室の背面から離間する方向である離間方向側の端部から前記離間方向に延び、前記商品サンプルを支持する突起部を備える、請求項１〜３のいずれか一項に記載の自動販売機のサンプル台。
【請求項５】
前記突起部は、前記上部陳列台に形成される、請求項４に記載の自動販売機のサンプル台。
【請求項６】
前記突起部は、前記下部陳列台に形成される、請求項４に記載の自動販売機のサンプル台。
【請求項７】
前記下部陳列台における前記突起部の下方には、前記商品サンプルに係る商品の情報を表示する表示部材を掲示する掲示部が形成されており、
少なくとも前記突起部には、前記掲示部の上端より前記展示室の背面側に凹む凹部が形成される、請求項４〜６のいずれか一項に記載の自動販売機のサンプル台。
【請求項８】
前記上部陳列台または前記下部陳列台は、透過性を有する樹脂製の台である、請求項１〜７のいずれか一項に記載の自動販売機のサンプル台。
【発明の詳細な説明】
【技術分野】
【０００１】
本発明は自動販売機のサンプル台に係り、特に汎用性を向上させる技術に関する。
【背景技術】
【０００２】
自動販売機の前面には、商品サンプルを配置するための展示室が形成されている。この展示室には、商品サンプルを載置するためのサンプル台が配設されている。サンプル台には、上面が平らな形状のものや、後方に傾斜するようにして上方に延びる傾斜部が形成された形状のもの等、様々な形状のものがある。
【０００３】
これらサンプル台の形状の相違から、サンプルに照射する光の当たり方等が異なることにより、サンプルの見栄えが変わる。このように様々な形状のサンプル台があることで、例えば販売する商品を変更する際に、商品の種類等に応じて消費者の購買意欲が向上する最適なサンプル台を選択して用いることが可能である。
【０００４】
しかしながら、サンプル台を変更するためには、変更前のサンプル台を展示室から取り外し、変更後のサンプル台を取り付けることになるため、形状の異なるサンプル台を複数種類用意しておく必要がある。
【０００５】
そこで、サンプル台を、下部陳列台と上部陳列台とで分解可能な構成にすることで、上部陳列台を着脱してサンプル台の形状を変更する技術が開発されている（特許文献１）。
【先行技術文献】
【特許文献】
【０００６】
【特許文献１】特開２００９−１５５４１号公報
【発明の概要】
【発明が解決しようとする課題】
【０００７】
ところで、上記特許文献１に開示される技術では、上部陳列台を取り付けるために、展示室の背面を形成する背面部材に形成された被係合孔に上部陳列台の後側に設けられたフックを上方から下方に下げるようにして係合する係合構造が採用されている。
【０００８】
上記特許文献１に開示されるような係合構造を採用したサンプル台を配置するために、自動販売機によっては、展示室の背面に被係合孔を形成しなければならない。このように展示室の背面に被係合孔を形成することは、既存の自動販売機に当該サンプル台を取り付けるために展示室の背面を加工しなければならず、汎用性が低いという問題があった。
【０００９】
また、このように展示室の背面に被係合孔を形成することは、当該形成にかかる加工費等により自動販売機の価格を上昇させることとなる。またさらに、このように展示室の背面に被係合孔を形成すると、前扉を開けて作業をする際に被係合孔から展示室に塵埃が入り込む虞がある。
【００１０】
本発明はこのような課題に鑑みてなされたものであり、その目的とするところは、サンプル台の汎用性を向上させることができる自動販売機のサンプル台を提供することにある。
【課題を解決するための手段】
【００１１】
上記の目的を達成するため、本発明の自動販売機のサンプル台は、自動販売機に形成された商品サンプルを展示する展示室に設けられる自動販売機のサンプル台において、前記展示室に固定され、前記商品サンプルの下部を支持するサンプル取付部を有する下部陳列台と、前記下部陳列台の上側に配設され、前記下部陳列台に支持される前記商品サンプルとは異なる形状の商品サンプルを支持する上部陳列台と、前記上部陳列台及び／または前記下部陳列台に形成され、前記上部陳列台を前記下部陳列台に固定する固定部と、を備え、前記上部陳列台は、前記下部陳列台にのみ固定されていることを特徴とする。
【００１２】
その他の態様として、前記上部陳列台は、前記固定部による固定状態が解除された解除状態の際、前記展示室の背面から離間する方向である離間方向を含む方向に移動して前記下部陳列台から取り外されるのが好ましい。
【００１３】
その他の態様として、前記上部陳列台が前記離間方向へ移動することを規制するとともに前記上部陳列台を前記下部陳列台に支持する支持部を備え、前記上部陳列台は、前記解除状態の際、前記サンプル台の前方を軸にして背面から離間する方向に回動可能に構成されるのが好ましい。
【００１４】
その他の態様として、前記サンプル台における前記展示室の背面から離間する方向である離間方向側の端部から前記離間方向に延び、前記商品サンプルを支持する突起部を備えるのが好ましい。
その他の態様として、前記突起部は、前記上部陳列台に形成されるのが好ましい。
その他の態様として、前記突起部は、前記下部陳列台に形成されるのが好ましい。
【００１５】
その他の態様として、前記下部陳列台における前記突起部の下方には、前記商品サンプルに係る商品の情報を表示する表示部材を掲示する掲示部が形成されており、少なくとも前記突起部には、前記掲示部の上端より前記展示室の背面側に凹む凹部が形成されるのが好ましい。
【００１６】
その他の態様として、前記上部陳列台または前記下部陳列台は、透過性を有する樹脂製の台であるのが好ましい。
【発明の効果】
【００１７】
本発明の自動販売機のサンプル台によれば、上部陳列台を下部陳列台にのみ固定するようにしたので、上部陳列台を展示室の背面に取り付けるための加工が不要となり、サンプル台の汎用性が向上し、加工費等による自動販売機の価格の上昇を抑制することができる。また、背面に被係合孔等の穴を有しないため、前面扉を開けて作業をする際に展示室内に塵埃が入り込むことを抑制することができる。
【図面の簡単な説明】
【００１８】
【図１】自動販売機の正面図である。
【図２】サンプル台の分解斜視図である。
【図３】第１商品サンプルの取付手順を説明する説明図である。
【図４】第１商品サンプルの取付手順を説明する説明図である。
【図５】第１商品サンプルの取付手順を説明する説明図である。
【図６】第２商品サンプルの取付手順を説明する説明図である。
【図７】第２商品サンプルの取付手順を説明する説明図である。
【図８】第２商品サンプルの取付手順を説明する説明図である。
【図９】図２中I-I断面の断面図である。
【図１０】下部陳列台に上部陳列台を配設するときの上部陳列台の動きを説明する説明図である。
【図１１】下部陳列台に上部陳列台を配設するときの上部陳列台の動きを説明する説明図である。
【図１２】下部陳列台に上部陳列台を配設するときの上部陳列台の動きを説明する説明図である。
【図１３】下部陳列台に上部陳列台を配設するときの上部陳列台の動きを説明する説明図である。
【図１４】下部陳列台から上部陳列台を取り外すときの上部陳列台の動きを説明する説明図である。
【図１５】第２実施形態に係るサンプル台の分解斜視図である。
【発明を実施するための形態】
【００１９】
＜第１実施形態＞
以下、図面に基づき本発明の第１実施形態について説明する。
【００２０】
図１を参照すると、自動販売機１の正面図が示されている。自動販売機１は、飲料を缶やペットボトル等の容器に封入した商品を所定温度下にて保管しており、顧客に無人販売することが可能である。以下、説明の便宜上、図１における紙面手前方向を前方（離間方向）、その反対方向を後方、自動販売機１から前方を視て右側方向を右方、その反対方向を左方、自動販売機１の上側方向を上方、その反対方向を下方とそれぞれ呼称する。
【００２１】
この自動販売機１は、前面扉２、展示室３及び商品提供口５が備えられている。前面扉２は、自動販売機１の前側に設けられた扉であり、開放することで図示しない自動販売機１の内部に商品を補充することが可能である。展示室３は、前面扉２に形成された開口を透明な樹脂製のパネル３ａによって覆われた部屋であり、商品を模した商品サンプル（後述する第１商品サンプル７、第２商品サンプル８及び第３商品サンプル１０７）を展示している。
【００２２】
この第１商品サンプル７、第２商品サンプル８及び第３商品サンプル１０７は、自動販売機１に保管された商品の外観を模して形成した樹脂製等のサンプルである。前記第１商品サンプル７、第２商品サンプル８及び第３商品サンプル１０７は、後述のサンプル台１１への取付部の構造がそれぞれ異なり、取付方法に互換性を有しない。
商品提供口５は、顧客が商品サンプルを参考にして選択した商品、すなわち商品サンプル近傍に対応してパネル３ａに設けられたスイッチ９を押圧して選択した、商品サンプルに係る商品を顧客に提供する提供口である。
【００２３】
したがって、自動販売機１は、顧客に提供する商品そのものに代わり、展示室３に展示した商品サンプルを顧客に展示して選択させることで、顧客が購入する商品を提供することが可能である。ここで、展示室３には、スイッチ９に対応する商品サンプルが載置されたサンプル台１１が配設されている。
【００２４】
図２を参照すると、サンプル台１１の分解斜視図が示されている。サンプル台１１は、特定の姿勢を維持するように第１商品サンプル７、第２商品サンプル８及び第３商品サンプル１０７を支持する台である。このサンプル台１１は、下部陳列台１３及び上部陳列台１５を備えている。
【００２５】
下部陳列台１３は、下端部が展示室３の背面３ｃに取り付けられた支持柱３ｂに固定された、例えば無色透明な（光透過性を有する）樹脂製の台である。このような無色透明な樹脂製の下部陳列台１３を用いることで、顧客に下部陳列台１３を意識させることなく、商品サンプルだけを目立たせることができる。また、下部陳列台１３の内部に照明を配置して下方から光を照射したときに第３商品サンプル１０７の内側からだけではなく、外面にも下部陳列台１３の上面１３ａを通して十分に光をあてられるため、さらに商品サンプルを目立たせることができるので、顧客による消費意欲を向上させることができる。この下部陳列台１３には、サンプル支持穴（サンプル取付部）２１及び掲示部２３が形成されている。
【００２６】
サンプル支持穴２１は、下部陳列台１３の上面１３ａに、左右方向一列に並んで形成された開口である。これにより、下部陳列台１３は、例えばサンプル支持穴２１に差し込まれた第３商品サンプル１０７における左右方向及び前後方向の移動を規制するよう支持するとともに、下方向について支持することができる（後述する図１５参照）。
【００２７】
掲示部２３は、下部陳列台１３の上面１３ａより下側であって、前面に形成された平面２３ａを含んでいる。この掲示部２３は、商品の価格や冷温等の商品についての情報が記載された商品情報表示部材（表示部材）２４を平面２３ａに位置させることで顧客に商品についての情報を提示することができる。
【００２８】
ここで、掲示部２３の下端には、商品情報表示部材２４の下端を挟むようにして支持する支持部２３ｂが形成されている。したがって、掲示部２３は、商品情報表示部材２４の下端を支持するようにして商品情報表示部材２４を平面２３ａに位置させることができる。これにより、下部陳列台１３は、自動販売機１が販売する商品に係る第３商品サンプル１０７の展示、商品の価格等の提示及び商品の広告をすることができる。
【００２９】
上部陳列台１５は、下部陳列台１３の上側に配設することが可能な、例えば無色透明な（光透過性を有する）樹脂製の台である。この上部陳列台１５は、背部３１、傾斜部３３及び突出平面部３５を備え、下部陳列台１３にのみ固定されている。このような無色透明な樹脂製の上部陳列台１５を用いることで、例えば下部陳列台１３や上部陳列台１５の内部に照明を配置して下方や後方から光を照射したときに商品サンプルの内側からだけではなく、外面にも上部陳列台１５の傾斜部３３を通して十分に光をあてられる。これにより、さらに第２商品サンプル８を目立たせることができるので、顧客による消費意欲を向上させることができる。
【００３０】
背部３１は、上部陳列台１５の下端後側から上方に垂直に延びる平板部である。この背部３１は、展示室３の支持柱３ｂや背面３ｃには係止や接触をしていない。
傾斜部３３は、上部陳列台１５の下端前側から背部３１の上端に向かって上方に延びる平板部である。したがって、傾斜部３３は、上部陳列台１５の下端前側から所定角度、後方に傾斜して延びてなる。また、傾斜部３３には、第１商品サンプル７の後側を取り付けるためのサンプル取付穴３３ａが形成されている。
【００３１】
図３〜５を参照すると、第１商品サンプル７の取付手順を説明する説明図が示されている。サンプル取付穴３３ａは、第１商品サンプル７の後側に形成された被取付部７ａが係止される穴であり、被係止部３３ｂ、上節度部３３ｃ及び下節度部３３ｄが形成されている。一方、被取付部７ａには、上係止部７ｂ、突起部７ｃ及び下係止部７ｄが形成されている。
【００３２】
第１商品サンプル７は、被取付部７ａをサンプル取付穴３３ａに嵌め込んだあと、傾斜部３３に沿うように下方に移動することで、上部陳列台１５に載置される。詳しくは、被取付部７ａは、上係止部７ｂが被係止部３３ｂの上側を、突起部７ｃが上節度部３３ｃを、下係止部７ｄがサンプル取付穴３３ａの下端の上側を、それぞれ通過するように移動して嵌め込まれ（図４）、上係止部７ｂ、突起部７ｃ及び下係止部７ｄが下方に移動することで、上係止部７ｂ及び下係止部７ｄが被係止部３３ｂ及びサンプル取付穴３３ａの下端に係止する。また、突起部７ｃが上節度部３３ｃから下節度部３３ｄに移動する際、被取付部７ａは、左右方向内側に撓むことで左右方向の幅を狭くして下節度部３３ｄに移動し、再び左右方向に広がることで突起部７ｃを下節度部３３ｄに勘合させる。
【００３３】
これにより、第１商品サンプル７は、被取付部７ａの上係止部７ｂ及び下係止部７ｄを被係止部３３ｂ及びサンプル取付穴３３ａの下端に係止させることができ、突起部７ｃを上節度部３３ｃから下節度部３３ｄに移動させることで、第１商品サンプル７の取り付け時に作業者に節度感を与えることができる。
【００３４】
突出平面部３５は、上部陳列台１５の下端部から前方に向かって延びる平板部である。この突出平面部３５には、サンプル支持突起３５ａ及び凹部３５ｂが形成されている。
【００３５】
図６〜８を参照すると、第２商品サンプル８の取付手順を説明する説明図が示されている。第２商品サンプル８は、商品の前後方向前側の形状に模して樹脂製の平板部材を立体的に成型して形成されている。この第２商品サンプル８の下端面８ｂには、左右一対の被係止突起部８ａが下方に突出するように形成されている。
【００３６】
サンプル支持突起３５ａは、突出平面部３５の被係止突起部８ａに対応する位置に溝部３５ｃを設けることで形成されている。また、サンプル支持突起３５ａの前側は、前方に向かうにつれて上方に傾斜する傾斜部３５ｄが形成されている。またさらに、溝部３５ｃの前側の端部には、サンプル支持突起３５ａに向かって突出する突出部３５ｅが形成されている。
【００３７】
第２商品サンプル８は、下端面８ｂをサンプル支持突起３５ａと突出平面部３５の溝部３５ｃより左右方向外側とで挟み込み、被係止突起部８ａが突出部３５ｅに係止されることで上部陳列台１５に載置される。詳しくは、第２商品サンプル８の下端面８ｂは、左右方向中央部をサンプル支持突起３５ａの傾斜部３５ｄに沿ってサンプル支持突起３５ａの下側に移動する（図７）。このとき、第２商品サンプル８の下端面８ｂは、被係止突起部８ａより左右方向外側が突出平面部３５の上側に位置する（図８）。これにより、第２商品サンプル８の下端面８ｂは、サンプル支持突起３５ａと突出平面部３５の溝部３５ｃより左右方向外側とで挟み込むことで支持することができる。
【００３８】
また、第２商品サンプル８の下端面８ｂがサンプル支持突起３５ａの傾斜部３５ｄに沿って移動するとき、被係止突起部８ａは、第２商品サンプル８の下端面８ｂの左右方向外側が上方に撓むことで突出部３５ｅの上側を越え、溝部３５ｃに入り込む（図８）。これにより、被係止突起部８ａが突出部３５ｅに係止されることで、第２商品サンプル８を突出平面部３５に固定することができる。なお、突出平面部１３５のサンプル支持突起１３５ａに例えば第１商品サンプル７に関する「新商品」等の広告板６０を取り付けるようにしてもよい。
【００３９】
凹部３５ｂは、隣り合うサンプル取付穴３３ａの間に位置し、突出平面部３５の前端からサンプル取付穴３３ａの下端部付近まで、突出平面部３５及び傾斜部３３の下部を切り欠いた形状の凹部である。これにより、下部陳列台１３の上側に上部陳列台１５が配設され、掲示部２３の上端及び下端が突出平面部３５及び支持部２３ｂによって覆われている場合であっても、下部陳列台１３から上部陳列台１５を取り外すことなく、商品情報表示部材２４の上端に指をかけるようにして掲示部２３に支持された商品情報表示部材２４を掲示部２３から取り外すことができる。
【００４０】
図９を参照すると、図２中I-I断面の断面図が示されている。上部陳列台１５には、前側支持部（支持部）４１及び後側固定部４３（固定部）が形成されている。また、下部陳列台１３には、前側留穴４５及び後側留穴４７が形成されている。
【００４１】
前側支持部４１は、上部陳列台１５の内部に設けられた補強壁１６の下部に設けられ柱部５１及び爪部５３から成る鈎型の突起である。柱部５１は、補強壁１６の前側下部から下方に垂直に延びて形成されている。爪部５３は、柱部５１の下端から前方に延びて形成されている。この爪部５３は、前端の角が丸みを帯びている。ここで、柱部５１は、上下方向の長さ（図９中のＬ１）が下部陳列台１３の板厚（図９中のＬ２）より長くなるよう形成されている。
【００４２】
前側留穴４５は、下部陳列台の上面１３ａに前側支持部４１の前後方向及び左右方向の長さより長くなるよう形成された穴である。これにより、前側支持部４１は、前側留穴４５に挿入されることで、上部陳列台１５の前端を前方向及び上下方向について支持することができる。
【００４３】
後側固定部４３は、上部陳列台１５の背部３１の後端面から後方及び下方に延びて形成された爪形状の突起である。この後側固定部４３は、下端には係止爪５５が、係止爪５５の直上には可撓部５７が形成されている。可撓部５７は、例えば後側固定部４３の下方に延びる箇所の板厚を部分的に薄くして剛性を低下させることで可撓性を高めるように形成されている。なお、後側固定部４３は、背部３１の下端から下方に延びて形成するようにしてもよい。
【００４４】
係止爪５５は、後端が、上下方向で視て前側支持部４１の爪部５３の上端と略同一高さの位置から下方に向かうにつれて前側に傾斜するように形成されている。これにより、係止爪５５は、I-I断面で視て鋭角になるように形成されている。また、係止爪５５は、後端が可撓部５７の後端面より後方に突出している。
【００４５】
後側留穴４７は、後側固定部４３の前後方向及び左右方向の長さより長くなるよう形成された穴である。また、後側留穴４７は、後側固定部４３が係止可能に形成されている。これにより、後側固定部４３は、後側留穴４７に挿入されることで、上部陳列台１５の後端を後方向及び上下方向について支持することができる。
【００４６】
ここで、前側支持部４１と前側留穴４５及び後側固定部４３と後側留穴４７の位置関係について説明する。前側支持部４１の爪部５３の前端から後側固定部４３の係止爪５５の後端までの長さは、前側留穴４５の前側の端部から後側留穴４７の後側の端部までの長さより長い。一方で、前側支持部４１の柱部５１の前端から後側固定部４３の可撓部５７の後端までの長さは、前側留穴４５の前側の端部から後側留穴４７の後側の端部までの長さと同等である。
【００４７】
したがって、上部陳列台１５の前側は、前側支持部４１が前側留穴４５に係止することで支持され、上部陳列台１５の後側は、後側固定部４３が後側留穴４７に挿入されることで固定される（後述する図１３参照）。
【００４８】
図１０〜１３を参照すると、下部陳列台１３に上部陳列台１５を配設するときの上部陳列台１５の動きを説明する説明図が示されている。上部陳列台１５を下部陳列台１３に配設するとき、まず、上部陳列台１５を下部陳列台１３の前方から後方に向かって、下部陳列台１３の上面１３ａに上部陳列台１５の前側支持部４１及び後側固定部４３の下端を沿わせるようにして移動させる（図１０）。
【００４９】
このように上部陳列台１５を下部陳列台１３の前方から後方に向かって移動させると、後側固定部４３の係止爪５５が後側留穴４７の後端に当接し、可撓部５７が撓む。さらに可撓部５７を撓ませつつ上部陳列台１５を後方に向かって移動させると、前側支持部４１の爪部５３の前端が前側留穴４５の前端と前後方向で視て同じ位置に位置する（図１１）。
【００５０】
そして、前側支持部４１の爪部５３の前端を前側留穴４５の前端で当接させながら上部陳列台１５の前側を下方に移動させると、前側支持部４１の爪部５３の上端が前側留穴４５の前端下側に接触する（図１２）。したがって、後側固定部４３の可撓部５７が撓むことで、前側支持部４１の爪部５３の前端を前側留穴４５の下方に位置させることができる。また、爪部５３の前端は、角が丸みを帯びているため、下方に移動するときに前側留穴４５に引っ掛かることを抑制することができる。
【００５１】
このとき、前側支持部４１の爪部５３が前側留穴４５に接触している点を接点Ｐ１（回動位置）とすると、上部陳列台１５は、接点Ｐ１を軸にして回動することができる。詳しくは、接点Ｐ１を回動位置にして上部陳列台１５を回動するとき、後側固定部４３の可撓部５７が撓んだ状態から戻ろうとする付勢力によって接点Ｐ１には摩擦力が発生する。
【００５２】
これにより、接点Ｐ１を軸にして上部陳列台１５を回動するとき、上部陳列台１５が上下方向に移動することを抑制して上部陳列台１５の該回動を良好に行うことができる。したがって、接点Ｐ１を軸にして上部陳列台１５を回動するようにして後側固定部４３を後側留穴４７に押圧することで、係止爪５５を後側留穴４７に挿入することができる（図１３）。
【００５３】
このように後側留穴４７に挿入されて係止した係止爪５５は、前側支持部４１の柱部５１と前側留穴４５とが上部陳列台１５を前方向に移動することを規制するように支持しているため、上部陳列台１５を下部陳列台１３に固定することができる（固定状態）。
【００５４】
一方、下部陳列台１３に固定した上部陳列台１５は、例えば下部陳列台１３の下方から後側固定部４３の係止爪５５を前側に移動させるよう可撓部５７を撓ませ、係止爪５５を上方に押し上げると、固定状態を解除する（解除状態）ことができる（図１３、６参照）。
【００５５】
ここで、図１４を参照すると、下部陳列台１３から上部陳列台１５を取り外すときの上部陳列台１５の動きを説明する説明図が示されている。上部陳列台１５の固定状態を解除する際には、上部陳列台１５の前端が下部陳列台１３に接触している点である接点Ｐ２（回動位置）を軸にして上部陳列台１５を回動させる。これにより下部陳列台１３から上部陳列台１５を簡単に取り外すことができる（図１４）。
【００５６】
上部陳列台１５の上方には、商品の広告等が配置されている場合や他のサンプル台１１が配置されている場合もあるため、上部陳列台１５を上方に移動させることが可能な空間が狭い場合がある。
【００５７】
ゆえに、本実施形態では、上部陳列台１５の着脱を行うにあたり、下部陳列台１３から前方（離間方向）に引き出すようにして上部陳列台１５を取り外すことや下部陳列台１３に押し入れるようにして上部陳列台１５を取り付けることができるため、着脱の作業性を向上させることができる。また、上部陳列台１５の上方を含め展示室の空間を有効に利用することができる。
【００５８】
そして、上部陳列台１５は、下部陳列台１３にのみ固定されるため、展示室３の背面３ｃを加工することなく、既存の自動販売機１に配置することができる。すなわち、上部陳列台１５の汎用性を高めることができた。
【００５９】
以上説明したように、第１実施形態に係る自動販売機１のサンプル台１１では、自動販売機１に形成された第１商品サンプル７を展示する展示室３に設けられる自動販売機１のサンプル台１１において、展示室３に固定され、第３商品サンプル１０７が上側に取り付けられるサンプル支持穴２１を有する下部陳列台１３と、下部陳列台１３の上側に配設され、下部陳列台に支持される第３商品サンプル１０７とは異なる形状の第１商品サンプル７及び／または第２商品サンプル８を支持する上部陳列台１５と、上部陳列台１５及び／または下部陳列台１３に形成され、上部陳列台１５を下部陳列台１３に固定する後側固定部４３と、を備え、上部陳列台１５は、下部陳列台１３にのみ固定されている。
【００６０】
従って、背面３ｃに取り付けるための加工が不要となり、サンプル台１１の汎用性が向上する。また、背面３ｃに被係合孔等の穴を有しないため、前面扉２を開けて作業をする際に展示室３内に塵埃が入り込むことを抑制できる。
【００６１】
また、上部陳列台１５が下部陳列台１３にのみ固定されているため、自動販売機１のように背面３ｃの後方に断熱材が存する機械においても、上部陳列台１５を載置するための被係合孔等の穴を設けることなく上部陳列台１５を載置可能にすることができる。
【００６２】
また、上部陳列台１５は、後側固定部４３による固定状態が解除された解除状態の際、展示室３の背面３ｃから離間する方向である離間方向を含む方向に移動して下部陳列台１３から取り外される。
【００６３】
従って、上部陳列台１５が解除状態の際に離間方向を含む方向に上部陳列台１５を移動させて下部陳列台１３から取り外すようにしたので、上部陳列台１５を取り外す際における上下方向の移動量を軽減することが可能とされる。
【００６４】
また、上部陳列台１５が前方へ移動することを規制するとともに上部陳列台１５を下部陳列台１３に支持する前側支持部４１を備え、上部陳列台１５は、解除状態の際、サンプル台１１の前方を軸にして背面３ｃから離間する方向に回動可能な構成にしたため、下部陳列台１３に上部陳列台１５を着脱する際における上下方向の移動量を軽減することができる。
【００６５】
また、サンプル台１１における展示室３の背面３ｃから離間した位置の端部から離間方向に延び、第１商品サンプル７が取り付けられるサンプル支持突起３５ａを備えるようにしたので、第１商品サンプル７や第２商品サンプル８等の複数種類の商品サンプルがある場合であっても、複数種類の商品サンプルを適宜設置することができる。
【００６６】
特に、サンプル支持突起３５ａを上部陳列台１５に形成したので、上部陳列台１５のサンプル取付穴３３ａに第１商品サンプル７を取り付けている場合であってもサンプル支持突起３５ａに広告板４０を取り付けることができる。
【００６７】
また、下部陳列台１３におけるサンプル支持突起３５ａの下方には、第１商品サンプル７、第２商品サンプル８、第３商品サンプルに係る商品の情報を表示する商品情報表示部材２４を掲示する掲示部２３が形成されており、サンプル支持突起３５ａには、掲示部２３の上端より展示室３の背面３ｃ側に凹む凹部が形成されたので、掲示部２３に掲示された商品情報表示部材２４を掲示部２３から取り外す際に商品情報表示部材２４に指をかけることができるので、商品情報表示部材２４を掲示部２３から容易に取り外すことができる。
【００６８】
また、上部陳列台１５及び下部陳列台１３は、透過性を有する樹脂製の台なので、例えばサンプル台１１の下方や後方から光を照射したときに第１商品サンプル７、第２商品サンプル８、第３商品サンプルを目立たせることができる。
【００６９】
＜第２実施形態＞
以下、図１５に基づき第２実施形態について説明する。なお、上記第１実施形態と共通の構成、作用効果については説明を省略し、ここでは第１実施形態と異なる部分について説明する。
【００７０】
図１５を参照すると、第２実施形態に係るサンプル台１１の分解斜視図が示されている。第２実施形態に係るサンプル台１１１では、下部陳列台１１３に突出平面部１３５が形成されている。突出平面部１３５は、掲示部２３の上部、換言すると上面１３ａの前部から前方に向かって延びる平板部である。この突出平面部１３５には、第１実施形態に係る突出平面部３５と同様のサンプル支持突起（突起部）１３５ａ及び凹部１３５ｂが形成されている。
【００７１】
このように下部陳列台１１３に突出平面部１３５を形成することで、下部陳列台１３に上部陳列台１５が配設されているときは、第１実施形態に係る突出平面部３５と略同一位置に突出平面部１３５が位置するため、第１実施形態と同様に第２商品サンプル８をサンプル支持突起１３５ａに支持させることができる。
【００７２】
また、下部陳列台１３に上部陳列台１５が配設されておらず、下部陳列台１３に第３商品サンプル１０７を支持させるような場合であっても、広告板６０を取り付けることができる。
【００７３】
以上説明したように、第２実施形態に係る自動販売機１のサンプル台１１１では、サンプル支持突起３５ａを下部陳列台１３に形成したので、下部陳列台１３に上部陳列台１５が取り付けられているときと上部陳列台１５が取り外されているときとのいずれでもサンプル支持突起３５ａを利用することができる。
【００７４】
以上で本発明に係る自動販売機のサンプル台の説明を終えるが、本発明は上記実施形態に限られるものではなく、発明の主旨を逸脱しない範囲で変更可能である。
例えば、本実施形態では、前側支持部４１の接点Ｐ１、Ｐ２を軸にして上部陳列台１５を回動させて着脱するようにしたが、スライド構造を設け、前後方向移動するようにして着脱するようにしてもよい。
【００７５】
また、本実施形態では、回動位置として接点Ｐ１、Ｐ２を用いるようにしたが、いわゆるリンク機構を用いることや、磁石を用いるようにして、直接的に回動位置に位置していなくてもよく、回動位置を前側に位置させることができればよい。
また、本実施形態では、前側支持部４１と後側固定部４３とを異なる構造にして説明しているが、前側支持部４１を後側固定部４３と同様に爪形状の突起にしても良い。
【符号の説明】
【００７６】
１  自動販売機
３  展示室
３ｃ  背面
７  第１商品サンプル
８  第２商品サンプル
１１、１１１  サンプル台
１３、１１３  下部陳列台
１５  上部陳列台
２１  サンプル支持穴（サンプル取付部）
２３  掲示部
２４  商品情報表示部材
３５ａ、１３５ａ  サンプル支持突起（突起部）
３５ｂ、１３５ｂ  凹部
４１  前側支持部（支持部）
４３  後側固定部（固定部）
１０７  第３商品サンプル
【図１】
2020201786.tif 000003
【図２】
2020201786.tif 000004
【図３】
2020201786.tif 000005
【図４】
2020201786.tif 000006
【図５】
2020201786.tif 000007
【図６】
2020201786.tif 000008
【図７】
2020201786.tif 000009
【図８】
2020201786.tif 000010
【図９】
2020201786.tif 000011
【図１０】
2020201786.tif 000012
【図１１】
2020201786.tif 000013
【図１２】
2020201786.tif 000014
【図１３】
2020201786.tif 000015
【図１４】
2020201786.tif 000016
【図１５】
2020201786.tif 000017